(57)【特許請求の範囲】
【請求項１】
屋外の外気を屋内に取り入れるためのファンと、前記ファンを駆動するモータを有した箱状の本体と、前記本体は前記屋内の壁面の上方に埋め込んで設置し、前記壁面の屋内側には前記本体を覆う化粧パネルを備え、前記外気を前記本体内に取り入れるための吸い込み開口を前記本体の下面に設け、前記外気の埃、塵を捕集するフィルターを前記吸い込み開口を覆うように備え、前記本体から前記外気を屋内に供給するための吹き出し開口を前記化粧パネルに備え、前記化粧パネルの下端には前記フィルターを挿入するためのスリット開口を備え、前記フィルターは濾材と前記濾材を保持するフィルター枠が一体に構成され、前記フィルター枠の一端は前記化粧パネルと一体となる取っ手形状部を備えた化粧面を設けたものであって、前記スリット開口の入り口部に、下方へ前記フィルターを前記本体から外した状態で前記化粧パネルを前記屋内から見たとき露出した状態となる段差形状部を備えたことを特徴とする換気装置。
【請求項２】
スリット開口部に、複数のフィルターを備えることを特徴とする請求項１に記載の換気装置。
【請求項３】
複数のフィルターのうち、本体側のフィルターを、屋外側のフィルターよりも目が細かいことを特徴とする請求項２に記載の換気装置。
【請求項４】
屋外側のフィルターおよび本体側のフィルターのそれぞれにフィルター枠を備え、前記屋外側のフィルター枠のみ取っ手形状部を備えた化粧面を設けたことを特徴とする請求項３に記載の換気装置。
【請求項５】
吹き出し開口の本体側に、静電霧化装置を備えたことを特徴とする請求項１〜４のいずれかに記載の換気装置。
【発明の詳細な説明】
【技術分野】
【０００１】
本発明は、屋外の空気を取り入れて屋内の換気を行う換気装置に関するものである。
【背景技術】
【０００２】
従来、この種の換気装置には、屋外の空気を送風機で吸い込む際、本体に流入する屋外側給気口側にフィルターを備えたものが知られている（例えば、特許文献１参照）。
【０００３】
上記従来例の構成では、本体内部のファンで屋外側給気口より屋外の空気を吸い込み、フィルターを通過した後に、ファンモータおよびファンを通過して屋内に供給される。
【先行技術文献】
【特許文献】
【０００４】
【特許文献１】特許第４４３２６３３号公報
【発明の概要】
【発明が解決しようとする課題】
【０００５】
このような従来の換気装置においては、化粧パネルの内部にフィルターを備えているため、メンテナンスの際に化粧パネルを着脱する必要がありメンテナンス性が悪いという課題を有していた。
【０００６】
そこで本発明は、上記従来の課題を解決するものであり、吸込口側にフィルターを備えていても、すなわち、化粧パネルの内部にフィルターを備えていても、デザイン性を損なわず、かつメンテナンス性を向上することができる換気装置を提供することを目的とする。
【課題を解決するための手段】
【０００７】
そして、この目的を達成するために、本発明は、屋外の外気を屋内に取り入れるためのファンと、前記ファンを駆動するモータを有した箱状の本体を、前記屋内の壁面の上方に埋め込んで設置し、前記壁面の前記屋内側には前記本体を覆う化粧パネルを備え、前記外気を前記本体内に取り入れるための吸い込み開口を前記本体の下面に設け、前記外気の埃、塵を捕集するフィルターを前記吸い込み開口を覆うように備え、前記本体から前記外気を前記屋内に供給するための吹き出し開口を前記化粧パネルに備え、前記化粧パネルの下端には前記フィルターを挿入するためのスリット開口を備え、前記フィルターは濾材と前記濾材を保持するフィルター枠が一体に構成され、前記フィルター枠の一端は前記化粧パネルと一体となる取っ手形状部を備えた化粧面を設けたものであり、これにより所期の目的を達成するものである。
【発明の効果】
【０００８】
本発明によれば、屋外の外気を屋内に取り入れるためのファンと、前記ファンを駆動するモータを有した箱状の本体を、前記屋内の壁面の上方に埋め込んで設置し、前記壁面の前記屋内側には前記本体を覆う化粧パネルを備え、前記外気を前記本体内に取り入れるための吸い込み開口を前記本体の下面に設け、前記外気の埃、塵を捕集するフィルターを前記吸い込み開口を覆うように備え、前記本体から前記外気を前記屋内に供給するための吹き出し開口を前記化粧パネルに備え、前記化粧パネルの下端には前記フィルターを挿入するためのスリット開口を備え、前記フィルターは濾材と前記濾材を保持するフィルター枠が一体に構成され、前記フィルター枠の一端は前記化粧パネルと一体となる取っ手形状部を備えた化粧面を設けたものであり、前記本体の前記吸い込み開口側に前記フィルターを備え、前記フィルターは、前記取っ手形状部を手で掴んで引っ張ることにより、他の部品を外すことなく、簡単に前記フィルターが前記吸い込み開口から外れることとなるので、前記フィルターが簡単に着脱でき、メンテナンス性がよく、また、取り付け状態においては、前記本体内部への埃、塵の侵入を防ぐことができて換気装置の能力を維持することができ、化粧パネルと一体感がありデザイン性を向上することができるという効果を奏する。
【図面の簡単な説明】
【０００９】
【図１】本発明の実施の形態１の換気装置の分解斜視図
【図２】同換気装置の側面から見た断面図
【図３】同フィルターの斜視図
【図４】本発明の実施の形態２の換気装置の斜視図
【図５】同換気装置の側面から見た断面図
【発明を実施するための形態】
【００１０】
本発明の換気装置は、屋外の外気を屋内に取り入れるためのファンと、前記ファンを駆動するモータを有した箱状の本体と、前記本体をは前記屋内の壁面の上方に埋め込んで設置し、前記壁面の前記屋内側には前記本体を覆う化粧パネルを備え、前記外気を前記本体内に取り入れるための吸い込み開口を前記本体の下面に設け、前記外気の埃、塵を捕集するフィルターを前記吸い込み開口を覆うように備え、前記本体から前記外気を前記屋内に供給するための吹き出し開口を前記化粧パネルに備え、前記化粧パネルの下端には前記フィルターを挿入するためのスリット開口を備え、前記フィルターは濾材と前記濾材を保持するフィルター枠が一体に構成され、前記フィルター枠の一端は前記化粧パネルと一体となる取っ手形状部を備えた化粧面を設けたものであり、前記本体の前記吸い込み開口側に前記フィルターを備え、前記フィルターは、前記取っ手形状部を手で掴んで引っ張ることにより、他の部品を外すことなく、簡単に前記フィルターが前記吸い込み開口から外れることとなるので、前記フィルターが簡単に着脱でき、メンテナンス性がよく、また、取り付け状態においては、前記本体内部への埃、塵の侵入を防ぐことができて換気装置の能力を維持することができ、化粧パネルと一体感がありデザイン性を向上することができるという効果を奏する。
【００１１】
また、前記スリット開口の入り口部に、下方へ段差形状部を備えた構成にしてもよい。これにより、前記フィルターを前記本体から外した状態で、前記化粧パネルを見たときに、前記段差形状部と前記スリット開口を見やすくさせるので、前記フィルターの前記本体への取り付け状態が一目で分かり、前記フィルターを挿入するときには、前記スリット開口部が一目で分かるので、前記フィルターの挿入忘れを防止することができ、前記フィルターを前記本体に挿入する位置を分かりやすくする効果を奏する。
【００１２】
また、前記スリット開口部に、複数のフィルターを備える構成にしてもよい。これにより、前記複数のフィルターを、前記スリット開口部に挿入して取り付けるので、前記本体内部への埃、塵の侵入をより防ぐことができて、より空気清浄機能を得ることができ、換気装置の能力をより維持することができるという効果を奏する。
【００１３】
また、前記複数のフィルターのうち、本体側のフィルターを、屋外側のフィルターよりも目が細かいという構成にしてもよい。これにより、前記屋外側のフィルターで大きな埃、塵を捕集し、前記本体側のフィルターで小さな埃、塵を捕集するので、前記本体側のフィルターが汚れにくくなり、前記本体側のフィルターのメンテナンス頻度を減らすことができ、前記屋外側のフィルターのみを定期的にメンテナンスすることで、換気装置の能力を維持できるという効果を奏する。
【００１４】
また、前記屋外側のフィルターおよび前記本体側のフィルターのそれぞれにフィルター枠を備え、前記屋外側のフィルター枠のみ取っ手形状部を備えた化粧面を設けたという構成にしてもよい。これにより、前記屋外側のフィルターのみを、前記取っ手形状部を持って、簡単に取り外すことができるので、メンテナンス頻度の高い前記屋外側のフィルターのみをはずせて、メンテナンス頻度の低い前記本体側のフィルターを取り外さなくてよいため、メンテナンス性を向上することができるという効果を奏する。
【００１５】
また、前記吹き出し開口の本体側に、静電霧化装置を備えたという構成にしてもよい。これにより、前記フィルターで埃や塵を捕集された外気が、前記静電霧化装置の周囲を流れるので、前記静電霧化装置へ埃、塵の付着および侵入を防ぐことができるため、耐久性を向上することができるという効果を奏する。
【００１６】
以下、本発明の実施の形態について図面を参照しながら説明する。
【００１７】
（実施の形態１）
図１は本発明の換気装置の分解斜視図である。図２は同換気装置の側面から見た断面図である。図３は同フィルターの斜視図である。
【００１８】
本発明の換気装置は図２に示すように、屋内壁面１の開口部２に横方向に長い箱状の本体５を挿入して設置される。
【００１９】
本体５の下方には屋外の外気を本体５内部に取り入れるための吸い込み開口８を備え、本体５の前面部５ａは開口しており、前面部５ａには本体５を覆う化粧パネル７を備え、化粧パネル７の略中央部には本体５から外気を屋内に供給するための吹き出し開口９を備え、本体５内部には屋外の外気を屋内に取り入れるための貫流ファン３と、貫流ファン３を駆動するモータ４を本体５の横長方向に合わせて横方向に配設している。
【００２０】
そして、外気の埃、塵を補修するためのフィルター６を吸い込み開口８を覆うように化粧パネル７の前面下部のスリット開口１０よりスライドして、貫流ファン３と吸い込み開口８の間に吸い込み開口８を覆うように挿入するような構造となっており、図２に示すようにフィルター６に設けられたツメ部６ａと、本体５に設けられた弾性変形するツメ５ｂがかん合することにより固定される構造となっている。
【００２１】
また、フィルター６は濾材６ｂと濾材６ｂを保持するフィルター枠６ｃおよび化粧面６ｄで構成され、化粧面６ｄの下方には取っ手形状部６ｅが設けられた構造となっている。さらに、図１に示すように、フィルター６を前方に引っ張って外した状態で化粧パネル７のスリット開口１０は、下方へ段差形状部１０ａを備えている。
【００２２】
なお、本実施の形態ではフィルター６は吸い込み開口８に接して覆うように配設されているが、貫流ファン３と吸い込み開口８の間の空間を仕切るように設けてもよい。
【００２３】
また、吹き出し開口９付近の本体５内部に、静電霧化装置１１を備えている。
【００２４】
本実施の形態によれば、本体５の吸い込み開口８を覆うようにフィルター６を備え、フィルター６は、図２に示す取っ手形状部６ｅを手で掴んで引っ張ることにより、他の部品を外すことなく、簡単にフィルター６が吸い込み開口８から外れることとなるので、フィルター６が簡単に着脱でき、メンテナンス性がよく、また、取り付け状態においては、本体５内部への埃、塵の侵入を防ぐことができて換気装置の能力を維持することができ、図２に示すように、化粧パネル７とフィルター６の化粧面６ｄが同一の面で構成されるため、一体感がありデザイン性を向上することができるという効果を奏する。
【００２５】
また、本実施の形態によれば、フィルター６を本体５から外した状態で、化粧パネル７を屋内から見たときに、段差形状部１０ａが露出した状態となるので、フィルター６の本体５への取り付け状態が一目で分かり、また段差形状部１０ａとスリット開口１０を見やすくさせることとなるので、フィルター６を挿入するときには、スリット開口１０が一目で分かるので、フィルター６の挿入忘れを防止することができ、フィルター６を本体５に挿入する位置を分かりやすくすることができるという効果を奏する。
【００２６】
また、本実施の形態によれば、屋外の外気を屋内に取り入れる際にフィルター６で埃、塵を捕集して本体５内部に流入され、静電霧化装置１１の周囲を流れることとなるので、静電霧化装置１１への埃、塵の付着および侵入を防ぐことができるため、耐久性を向上することができるという効果を奏する。
【００２７】
なお、本実施の形態では本体５を横方向に長くなるように壁面に設置しているが、９０度回転させて、縦方向に長くなるように設置してもよい。
【００２８】
（実施の形態２）
実施の形態１と同様の構成要素については同一の符号を付し、その詳細な説明は省略する。図４は本発明の換気装置の斜視図である。図５は同換気装置の側面から見た断面図である。図４に示すようにフィルター６は屋外側のフィルター１２と本体側のフィルター１３とで構成されており、屋外側のフィルター１２は濾材１２ｂと濾材１２ｂを保持するフィルター枠１２ｃおよび化粧面１２ｄで構成され、化粧面１２ｄの下方には取っ手形状部１２ｅが設けられた構造となっている。また、図５に示すように本体側のフィルター１３は濾材１３ｂと濾材１３ｂを保持するフィルター枠１３ｃで構成され、濾材１３ｂは濾材１２ｂよりも目が細かいもので構成され、吸い込み開口８を覆うように屋外側のフィルター１２が配置され、さらに屋外側のフィルター１２を覆うように本体側のフィルター１３が配置されている。
【００２９】
以上のように本実施の形態によれば、複数のフィルター６を、スリット開口１０に挿入して取り付けるので、本体５内部への埃、塵の侵入をより防ぐことができて、より空気清浄機能を得ることができ、換気装置の能力をより維持することができるという効果を奏する。
【００３０】
また、本実施の形態によれば、屋外側のフィルター１２で大きな埃、塵を捕集し、本体側のフィルター１３で小さな埃、塵を捕集するので、本体側のフィルター１３が汚れにくくなり、本体側のフィルター１３のメンテナンス頻度を減らすことができ、屋外側のフィルター１２のみを定期的にメンテナンスすることで、換気装置の能力を維持できるという効果を奏する。
【００３１】
また、本実施の形態によれば、屋外側のフィルター１２のみを、取っ手形状部１２ｅを持って、簡単に取り外すことができるので、メンテナンス頻度の高い屋外側のフィルター１２のみをはずせて、メンテナンス頻度の低い本体側のフィルター１３を取り外さなくてよいため、メンテナンス性を向上することができるという効果を奏する。
【００３２】
なお、本実施の形態ではフィルター６は本体側のフィルター１３と屋外側のフィルター１２の２種類のフィルターで構成されているが、これは、目の粗いフィルターと、目の細かいフィルターにより、より清浄化された外気を供給し、屋外側のフィルター１２により大きな埃、塵を捕集することにより、本体側のフィルター１３には大きな埃、塵が付着しないこととなり、本体側のフィルター１３のメンテナンスの頻度を減らすことができるという作用効果があることを意図している。すなわち、さらに多数のフィルターを備えることにより、さらに多くの空気清浄機能（例えば、脱臭機能、ＮＯｘ除去機能など）が得られ、屋外側のフィルター１２により大きな埃、塵を捕集することにより、その他の多数のフィルターのメンテナンス頻度を減らすことができるという作用効果が得られることに変わりはない。
【産業上の利用可能性】
【００３３】
本発明にかかる換気装置は、本体内部への埃、塵の侵入を防ぐことができて本体の換気能力を維持することができ、また、フィルターが簡単に着脱できメンテナンス性がよく、取り付け状態においてはデザイン性を向上することができるものであるので、屋外の空気を取り入れて屋内の換気を行う換気装置等として有用である。
【符号の説明】
【００３４】
１      屋内壁面
２      開口部
３      貫流ファン
４      モータ
５      本体
５ａ    前面部
５ｂ    ツメ
６      フィルター
６ａ    ツメ部
６ｂ    濾材
６ｃ    フィルター枠
６ｄ    化粧面
６ｅ    取っ手形状部
７      化粧パネル
８      吸い込み開口
９      吹き出し開口
１０    スリット開口
１０ａ  段差形状部
１１    静電霧化装置
１２    屋外側のフィルター
１２ｂ  濾材
１２ｃ  フィルター枠
１２ｄ  化粧面
１２ｅ  取っ手形状部
１３    本体側のフィルター
１３ｂ  濾材
１３ｃ  フィルター枠
【図１】
0005793647.tif 000002
【図２】
0005793647.tif 000003
【図３】
0005793647.tif 000004
【図４】
0005793647.tif 000005
【図５】
0005793647.tif 000006